(57)【要約】【課題】制御回路のノイズの低減を図った放電ランプ用点灯装置および照明器具を提供する。【解決手段】長手方向両端が開口された金属製の中空のケース２と；放電ランプを点灯させる点灯回路１７を備えてケース内に収容され、この点灯回路１７の入力端子２７ａ，２７ｂと出力端子２８ａ，２８ｂとを、ケース２の長手方向両端部側にそれぞれ離間配置し、点灯回路の大電流回路部２９を形成する領域と制御回路部３０を形成する領域とを、ケースの短手方向両側にそれぞれ区分し、出力端子に接続された出力線２８を大電流回路部２９側に通して入力端子側へ引き回し、ケース外へ引き出すように配線してなる点灯装置本体３と；ケースの長手方向両開口端をそれぞれ閉塞する端板と；を具備している。【選択図】  図４
2008084540.tif 000002
【特許請求の範囲】
【請求項１】
長手方向両端が開口された金属製の中空のケースと；
放電ランプを点灯させる点灯回路を備えてケース内に収容され、この点灯回路の入力端部と出力端部とを、ケースの長手方向両端部側にそれぞれ離間配置し、点灯回路の大電流回路部を形成する領域と制御回路部を形成する領域とを、ケースの短手方向両側にそれぞれ区分し、出力端部に接続された出力線を大電流回路部側に通して入力端部側へ引き回し、ケース外へ引き出すように配線してなる点灯装置本体と；
ケースの長手方向両開口端をそれぞれ閉塞する端板と；
を具備していることを特徴とする放電ランプ用点灯装置。
【請求項２】
大電流回路部は、ケース内側面内方にて所要の間隙を置いて並設された放熱板を有し、この放熱板とケース内側面との間隙にて出力線を通していることを特徴とする請求項１記載の放電ランプ用点灯装置。
【請求項３】
出力線は、ケーブルを保持するケーブル保持手段により放熱板に固定されていることを特徴とする請求項２記載の放電ランプ用点灯装置。
【請求項４】
請求項１ないし３いずれか一記載の放電ランプ用点灯装置と；
この放電ランプ用点灯装置により点灯される放電ランプと；
放電ランプを配設している器具本体と；
を具備していることを特徴とする照明器具。
【発明の詳細な説明】
【技術分野】
【０００１】
本発明は、放電ランプを点灯する放電ランプ用点灯装置および照明器具に関する。
【背景技術】
【０００２】
従来、高圧ナトリウムやメタルハライドランプ等の高圧放電ランプ（ＨＩＤランプ）を点灯する放電ランプ用点灯装置は、鉄心に銅線が巻かれた銅鉄型安定器が使用されていた。
【０００３】
当該放電ランプ用点灯装置は、屋外に設置される街路灯に使用されることが多く、雨や雪あるいは梅雨期等での高湿気に晒されるので、点灯回路部品を収納するケースを密閉形や防水形に形成している。
【０００４】
また、この放電ランプ用点灯装置は、電源線等の入力線が接続される入力端子と、制御信号線等の出力線が接続される出力端子とが雨水の滴下等により漏れないように放電ランプ用点灯装置の下端側に共に並設されていた。
【０００５】
一方、近年、半導体素子等の電子部品によって構成されたインバータ回路を有してなり、高圧放電ランプを高周波点灯するインバータ式電子安定器（放電ランプ用点灯装置）が使用されている。
【０００６】
しかし、入力端子と出力端子が同一側（下端側）で相互に隣り合うように並設されたインバータ式電子安定器は、出力端子から出力される高周波電力のノイズが入力端子側に重畳され易く、制御回路や周辺機器を誤動作させ易くなるという課題があった。
【０００７】
そこで、入力端子と出力端子とを放電ランプ用点灯装置の長手方向両端側に離間配置してノイズの低減を図ったインバータ式電子安定器を搭載した照明装置が提案されている（例えば、特許文献１参照）。
【特許文献１】特開２００２−７５０４５号公報
【発明の開示】
【発明が解決しようとする課題】
【０００８】
しかしながら、このような従来のインバータ式電子安定器では、電源線等の入力線がスイッチング回路等のノイズ発生部品の近傍を長手方向ほぼ全長に亘って通るように配線しているので、制御回路のノイズを低減できないという課題がある。
【０００９】
本発明は、入力線へのノイズ影響の低減を図った放電ランプ用点灯装置および照明器具を提供することを目的とする。
【課題を解決するための手段】
【００１０】
請求項１に係る放電ランプ用点灯装置は、長手方向両端が開口された金属製の中空のケースと；放電ランプを点灯させる点灯回路を備えてケース内に収容され、この点灯回路の入力端部と出力端部とを、ケースの長手方向両端部側にそれぞれ離間配置し、点灯回路の大電流回路部を形成する領域と制御回路部を形成する領域とを、ケースの短手方向両側にそれぞれ区分し、出力端部に接続された出力線を大電流回路部側に通して入力端部側へ引き回し、ケース外へ引き出すように配線してなる点灯装置本体と；ケースの長手方向両開口端をそれぞれ閉塞する端板と；を具備していることを特徴とする。
【００１１】
本請求項以下において、端板は、ケースが密閉形または防水形となるように、ケースの両端側にそれぞれ配設される。
【００１２】
大電流回路部は、ＦＥＴ（電界効果型トランジスタ）やダイオード等比較的大電流が流れる部分であり、制御回路部は、ＩＣ、抵抗コンデンサ、小信号トランジスタ等を有して構成される。
【００１３】
放電ランプ用点灯装置がインバータ式電子安定器である場合、点灯装置本体は、回路基板およびこの回路基板に実装された点灯回路の電子部品や回路部品などを有して構成される。
【００１４】
放電ランプは、高圧放電ランプまたは低圧放電ランプのいずれであってもよい。また、放電ランプ用点灯装置は、銅鉄型安定器を許容する。
【００１５】
請求項２に係る発明によれば、大電流回路部は、ケース内側面内方にて所要の間隙を置いて並設された放熱板を有し、この放熱板とケース内側面との間隙にて出力線を通していることを特徴とする。
【００１６】
請求項３に係る発明によれば、出力線は、ケーブルを保持するケーブル保持手段により放熱板に固定されていることを特徴とする。
【００１７】
請求項４に係る発明によれば、請求項１ないし３いずれか一記載の放電ランプ用点灯装置と；この放電ランプ用点灯装置により点灯される放電ランプと；放電ランプを配設している器具本体と；を具備していることを特徴とする。
【発明の効果】
【００１８】
請求項１に係る発明によれば、電源線等の入力線が接続される入力端部と、制御信号線等の出力線が接続される出力端部とを、ケースの長手方向両端部にそれぞれ離間させて配置したので、出力端部から出力されるランプ電力の高調波等のノイズが、入力端部に接続された入力線に重畳されるのを防止または低減できる。
【００１９】
さらに、出力端部に接続される出力線を、制御回路部に対してケースの短手方向反対側の大電流回路部側に通すように配線することにより制御回路部から離間させたので、出力線を流れる高圧パルスにより制御回路が誤動作するのを防止または低減することができる。
【００２０】
請求項２に係る発明によれば、大電流回路部は放熱板を有するので、大電流回路部の放熱性を向上させることができる。
【００２１】
また、放熱板とケース内側面との間隙に、出力線を通すように配線するので、例えば出力線が放熱板により内側の大電流回路部側へ変位して高熱部品に接近または接触して熱劣化するのを防止または低減することができる。
【００２２】
請求項３に係る発明によれば、出力線をケーブル保持手段により放熱板に固定しているので、例えば出力線が放熱板により内側の大電流回路部側へ変位して高熱部品に接近または接触して熱劣化するのを防止または低減することができる。
【００２３】
請求項４に係る発明によれば、請求項１ないし３いずれか一記載の放電ランプ用点灯装置を具備する照明器具を提供することができる。
【発明を実施するための最良の形態】
【００２４】
以下、本発明の一実施の形態について、図面を参照して説明する。まず、本発明の第１の実施形態について説明する。
【００２５】
図１〜図３は、本発明の第１の実施形態を示し、図１は放電ランプ用点灯装置の概略分解斜視図、図２は同組立後の概略斜視図、図３は図２のＩＩＩ−ＩＩＩ線断面図、図４は点灯装置本体の長手方向中間部を省略して示す平面図である。
【００２６】
図１〜図４において、放電ランプ用点灯装置１は、ケース２、点灯装置本体３、防水パッキン４および端板５を有して構成されている。
【００２７】
ケース２は、例えばアルミニウム（Ａｌ）等の導電性金属材料により押し出し成形されたケース本体６およびケース蓋体７からなっている。ケース本体６は、両端側に開口８，８、上部に長手方向に沿う開口９および中空を有する断面略コ字状に形成され、上部端面に長手方向に沿って凹溝１０，１０が形成されているとともに、外面６ａに長手方向に沿って複数の放熱フィン１１が形成されている。
【００２８】
また、ケース蓋体７は、断面略円弧状に形成され、長手方向両端部にケース本体６の凹
溝１０，１０に嵌入される凸部１２，１２が長手方向に沿って形成されているとともに、内面７ｂに長手方向に沿って内部フィン１３がそれぞれ複数形成されている。内部フィン１３は、表面積が広くなるように長方形状に形成され、ケース蓋体７の内面７ｂからケース２の内部に突出している。
【００２９】
そして、ケース本体６の凹溝１０，１０にケース蓋体７の凸部１２，１２が嵌入したときに、ケース本体６およびケース蓋体７は一体化されて、角筒状のケース２が形成される。このとき、凹溝１０および凸部１２の箇所からケース２内に雨水や湿気が侵入しないように、凹溝１０および凸部１２の間が隙間なく形成されている。そして、ケース本体６の外面６ａおよび内面６ｂとケース蓋体７の外面７ａおよび内面７ｂは、それぞれ防錆のためのアルマイト（耐蝕性酸化被膜）処理が施され、このアルマイト処理により黒色に着色されている。すなわち、ケース２の内表面６ｂ，７ｂおよび外表面６ａ，７ａには、アルマイト１５が形成されている。このアルマイト１５は、点灯装置本体３からの熱をケース２に伝熱させる伝熱手段を形成している。
【００３０】
点灯装置本体３は、回路基板１６およびこの回路基板１６に実装された放電ランプを高周波点灯させる点灯回路１７の電子部品および回路部品等を備えて形成されている。例えば、電界効果トランジスタ（ＦＥＴ）、ダイオード、ノイズフィルタ用のコンデンサおよびインダクタ、全波整流器、平滑用コンデンサ、突入電流防止用の抵抗またはインダクタ、チョークバラスト、直流カット用コンデンサ、共振用コンデンサ、共振用インダクタ、トランスおよびサイリスタ等のスイッチング素子などを備えている。
【００３１】
回路基板１６は長方形状の例えばガラスエポキシ材やポリブチレンテレフタレート（ＰＢＴ）材などからなり、ケース本体６の内面６ｂに設けられた凹溝１８に挿入されている。凹溝１８の両端部は、ケース２の両端側の開口８，８に臨んで開口している。回路基板１６は、ケース２の開口８，８のいずれか一方側から凹溝１８に挿入される。点灯回路１７は、放電ランプを高周波点灯させる周知の回路で形成されている。そして、放電ランプを点灯させているとき、点灯回路１７の電子部品および回路部品等は発熱する。この発熱によりケース２の内部温度が上昇する。
【００３２】
防水パッキン４，４は、ケース２の長手方向と直交する断面の略外形の大きさに形成され、ケース２の開口８，８において、端板５，５によりケース２の端面６ｃ，７ｃに密着される。これにより、ケース２の内部に水分や湿気が侵入しにくくなる。また、回路基板１６の両端部が凹溝１８の両端部に位置するようになり、回路基板１６は、凹溝１８での移動が制限され、ほとんど移動しなくなるか、移動範囲が小さくなる。こうして、点灯装置本体３は、ケース２に収納されている。
【００３３】
そして、端板５，５は、防水パッキン４，４と略同一の大きさに形成され、防水パッキン４，４を介してケース２の両端側の端面６ｃ，７ｃに開口８，８を閉塞するようにそれぞれ配設される。すなわち、ケース２には、端面６ｃ，７ｃに臨むねじ部１９が複数設けられており、ねじ２０（図２に示す。）が端板５，５に形成された複数の孔２１をそれぞれ挿通し、防水パッキン４，４のねじ貫通部２２を貫通して、ねじ部１９に螺着される。
【００３４】
これにより、ケース２は、防水形に形成される。
【００３５】
そして、一方の端板５には挿通孔２３，２３が形成され、一方の防水パッキン４にはリード線貫通部２４，２４が形成されている。そして、点灯装置本体３の入力端子に接続されていて、外部電源に接続される図示しない入力リード線、点灯装置本体３の出力端子に接続されていて、放電ランプの電極側に接続される図示しない出力リード線および図示しないアース線が防水パッキン４のリード線貫通部２４，２４を貫通し、端板５の挿通孔２３，２３から外部に引き出されている。
【００３６】
上述したように、ケース本体６とケース蓋体７が一体化されてケース２が形成され、ケース２に点灯装置本体３が収納され、ケース２の両端側に放水パッキン４および端板５がそれぞれ配設されることにより、図２に示すように、放電ランプを点灯させる防水形の放電ランプ用点灯装置１が形成されている。なお、図１および図２において、ケース２を照明器具や筐体などに固定する取付金具等は省略している。
【００３７】
そして、図４に示すように、点灯装置本体３は点灯回路１７の入力端部である一対の入力端子２７ａ，２７ｂと、出力端子である一対の出力端子２８ａ，２８ｂとをケース２の長手方向両端部（図４では右端部と左端部）とに、それぞれ離間して配設している。これら入力端子２７ａ，２７ｂには電源線等の入力線２７を接続し、出力端子２８ａ，２８ｂには制御信号線等の出力線２８を接続している。
【００３８】
点灯回路１７は、複数のＦＥＴ１４，１４，…や高圧トランス２９ａ、電解コンデンサ２９ｂ等を備え、比較的大電流が流れ、発熱量が多い大電流回路部２９と、ＩＣ（集積回路）３０ａや抵抗、コンデンサ、小信号トランジスタ等を備えた制御回路部３０と、を具備しており、これら大電流回路部２９と制御回路部３０とを、ケース２内の短手方向両側にそれぞれ区分して配設し、かつケース２の長手方向に沿って並設している。
【００３９】
そして、出力線２８は、その出力端子２８ａ，２８ｂから大電流回路部２９側を通ってケース２の長手方向に延伸し、入力端子２７ａ，２７ｂ側一端（図４では右端）からケース２外へ延出している。
【００４０】
図３、図４に示すように、複数のＦＥＴ１４，１４からなるスイッチング素子等の発熱部品１７ｃは、アルミニウム製等の放熱板３１に取付用ねじ３２により取り付けられている。
【００４１】
図４に示すように放熱板３１は、ケース２の内面６ｂの一側面（図４では上側面）の内側にて、ケース２の長手方向に延在し、長手方向に長い細長形状の平板により形成されており、図３にも示すように放熱板３１とケース２の内側面との間には所要の間隙ｇが形成されている。
【００４２】
図３に示すようにケース２は、その内面６ｂの一側面（図３では右内側面）６ｂには、その横方向内方へ突出する角柱状の凸部２ａ，２ｂをそれぞれ一体に突設しており、これら凸部２ａ，２ｂの内端に放熱板３１の一側面（図３では右側面）を当接させている。各凸部２ａ，２ｂは図３中上下方向に所要大の間隙２ｂを置いてケース２の長手方向のほぼ全長に亘って形成されている。この間隙２ｂにはＦＥＴ１４やトランジスタ等の発熱部品１７ｃを放熱板３１に取り付ける取付ねじ３２の軸先端部３２ａが突出し、このねじ軸先端部３２ａと凸部２ａが干渉しないようになっている。
【００４３】
また、放熱板３１は図３中、上下方向に所要の間隔を置いてケース２に配設された放熱板固定ねじ３３，３３によりケース２に固定されている。各固定ねじ３３はケース２の図３中右側面の外面６ａからこのケース２の図３中右側面の挿通孔２ｃ，２ｃを挿通して、放熱板３１に形成されたねじ穴（雌ねじ）３１ａにねじ込まれて放熱板３１をケース２の凸部２ａ，２ｂ上に固定している。これら上下一対の放熱板固定ねじ３３，３３はケース２の長手方向に所要の間隔を置いて複数対配設されている。
【００４４】
そして、図３に示すように出力線２８は大電流回路部２９側を通る部分では、放熱板３１とケース２の図中右内側面との間隙ｇ内を通るように配線されている。
【００４５】
次に、本発明の第１の実施形態の作用について説明する。
【００４６】
点灯装置本体３の入力端子２７ａ，２７ｂに入力線２７を介して外部電源が供給されると、点灯回路１７が動作し、出力端子２８ａ，２８ｂから高周波電圧が出力される。この高周波電圧が図示しない放電ランプの電極間に印加され、放電ランプが点灯する。
【００４７】
点灯回路１７が動作すると、点灯回路１７を構成する電子部品および回路部品が発熱し、この発熱による熱がケース２内の気体に伝熱する。特に、抵抗、インダクタ、トランス、サイリスタや電界効果トランジスタを備えた大電流回路部２９は、発熱量を伴って発熱し、それらの発熱部品からの熱が気体へ伝熱されるとともに、ケース２の内面すなわちケース本体６の内面６ｂおよびケース蓋体７の内面７ｂに輻射される。そして、点灯回路１７からの熱がケース２内の気体に伝熱されるに従い、ケース２の内部温度が上昇する。また、ＦＥＴ１４やトランジスタ等の発熱部品１７ｃからの発熱は放熱板３１を介してケース２内に放熱される。さらに放熱板３１の熱はケース２の凸部２ａ，２ｂと固定ねじ３３を介してケース２１に伝熱され、ケース２の外面から外気へ放熱される。
【００４８】
ケース２の内部温度が上昇するに従い、ケース２内の気体からケース本体６の内面６ｂおよびケース蓋体７の内面７ｂに形成されたアルマイト１５に熱が伝熱される。また、前記発熱部品からの輻射熱がアルマイト１５に伝熱される。ここで、アルマイト１５は、黒色に着色されているので、気体からの熱および前記発熱部品からの輻射熱を迅速に吸熱する。
【００４９】
また、ケース蓋体７の内面７ｂには内部フィン１３が形成されているので、内部フィン１３が形成されていないときよりもケース２の内表面積が大きくなっている。この内表面積が大きくなる分、吸熱面積が広くなり、気体からの熱および前記発熱部品からの輻射熱を吸熱する熱量が大きくなる。これにより、気体からの熱および前記発熱部品からの輻射熱は、アルマイト１５にさらに迅速に吸熱される。
【００５０】
こうして、ケース蓋体７の内面７ｂに内部フィン１３，１４が形成され、ケース本体６の内面６ｂおよびケース蓋体７の内面７ｂに黒色に着色されたアルマイト１５が形成されることにより、点灯回路１７（点灯装置本体３）に発生した熱が迅速にアルマイト１５に吸熱される。
【００５１】
アルマイト１５に吸熱された点灯回路１７からの熱は、アルマイト１５からケース本体６およびケース蓋体７に伝熱され、ケース本体６の外面６ａおよびケース蓋体７の外面７ａから外部に放熱される。ここで、ケース本体６の外面６ａには放熱フィン１１が形成されているので、放熱フィン１１が形成されていないときよりもケース本体６の外表面積が大きくなっている。この外表面積が大きくなる分、放熱面積が広くなり、ケース本体６の外面６ａから放熱される熱量が大きくなる。放熱される熱量が大きくなる分、点灯回路１７からの熱がケース２から迅速に放熱される。また、発熱部品１７ｃとしてのＦＥＴ１４の発熱は放熱板３１により放熱される。
【００５２】
上述したように、ケース２の外面６ａに放熱フィン１１、内面７ｂに内部フィン１３が形成され、また、ケース２の内面６ｂ，７ｂに黒色に着色されたアルマイト１５が形成されることにより、点灯装置本体３の点灯回路１７に発生した熱が迅速にケース２から外部に放熱される。これにより、ケース２内の温度上昇が抑制されて、点灯回路１７を構成する電子部品および回路部品等の温度上昇が抑制される。この結果、当該電子部品および回路部品等の熱劣化が防止され、点灯装置本体３の耐久寿命を確保することができる。また、点灯装置本体３を小形化することができ、ケース２も小形化することができて、放電ランプ用点灯装置１全体を小形化することができる。
【００５３】
なお、黒色に着色されたアルマイト処理に代えて、ケース２の外面６ａ，７ａおよび内面６ｂ，７ｂに例えば黒色の塗装を施しても同様の作用、効果が得られる。
【００５４】
また、ケース２の外面６ａ，７ａおよび内面６ｂ，７ｂに黒色着色のアルマイト１５等の伝熱手段を形成せず、アルマイト処理等が防塵処理のみのものであっても、ケース２の内面７ｂに形成された内部フィン１３にケース２内の熱が伝熱される分、ケース２の内部温度が低減される。すなわち、ケース２の内面７ｂに内部フィン１３を形成することにより、点灯装置本体３の温度上昇を低減できる。
【００５５】
また、内部フィン１３は、長方形状の互いに異なる大きさに形成しているが、これに限らず、同一の大きさや形状であってもよく、任意の形状であってもよい。
【００５６】
そして、点灯装置本体３は、点灯回路１７の入力端子２７ａ，２７ｂと出力端子２８ａ，２８ｂをケース２の長手方向両端部側にそれぞれ離間させて配設したので、出力端子２８ａ，２８ｂから出力されるランプ電力の高調波等のノイズが、入力端子２７ａ，２７ｂに接続された入力線２７に重畳されるのを防止または低減できる。
【００５７】
さらに、出力端子２８ａ，２８ｂに接続される出力線２８を、制御回路部３０に対してケース２の短手方向反対側の大電流回路部２９側へ通すように配線することにより制御回路部３０から離間させたので、出力線２８を流れる制御信号の高圧パルスにより制御回路が誤動作するのを防止または低減することができる。
【００５８】
さらに、大電流回路部２９は放熱板３１を有するので、大電流回路部２９の放熱性を向上させることができる。
【００５９】
また、放熱板３１とケース２の内側面との間隙ｇに、出力線２８を通すように配線するので、例えば出力線２８が放熱板３１により内側の大電流回路部２９側へ変位して高発熱部品に接近または接触して熱劣化するのを防止または低減することができる。
【００６０】
次に、本発明の第２の実施形態について説明する。
【００６１】
図５は、本発明の第２の実施形態を示す放電ランプ点灯装置の概略横断面図である。なお、図３と同一部分には同一符号を付して説明は省略する。
【００６２】
図５に示す放電ランプ用点灯装置２５は、図１に示す放電ランプ用点灯装置１において、ケース２の内部に伝熱性樹脂２６により充填した点に特徴がある。伝熱性樹脂２６は、絶縁性および耐熱性であって高熱伝導性を有する例えばシリコーン樹脂である。
【００６３】
そして、サイリスタや電界効果トランジスタなどの自己発熱の大きい発熱部品１７ｃは、アルミニウム（Ａｌ）製の放熱板３１に装着され、この放熱板３１がケース本体６の凸部２ａに接触されている。放熱板用固定ねじ３３，３３，…等により、放熱板３１をケース本体６に固定しているので、放熱板３１は、ケース本体６の内面６ｂにより接触するようになる。
【００６４】
伝熱性樹脂２６は、ケース２に点灯装置本体３が収納され、ケース２の一端側に防水パッキン４および端板５が配設された後、ケース２の他端側の開口８からケース２の内部に注入される。そして、伝熱性樹脂２６は、回路基板１６に実装された点灯回路１７の電子部品および回路部品等を包むようにして、ケース２の内部に充填されている。
【００６５】
なお、ケース２（放電ランプ用点灯装置２５）の軽量化を図るために、ケース蓋体７の内方にてケース２内に若干の空間を残存させるように伝熱性樹脂２６を充填しているが、ケース蓋体７の内面７ｂの全域と密着するようにケース２内に充填してもよい。
【００６６】
したがって、この放電ランプ用点灯装置２５によれば、点灯回路１７に発生した熱は、放熱板３１を介して、または直接伝熱性樹脂２６に伝熱され、伝熱性樹脂２６内を伝熱する。そして、伝熱性樹脂２６からケース本体６の内面６ｂに形成されたアルマイト１５に伝熱され、かつケース蓋体７の内部フィン１３に形成されたアルマイト１５に伝熱されて、ケース本体６およびケース蓋体７（ケース２）に伝熱される。
【００６７】
また、自己発熱した発熱部品１７ｃの熱は、放熱板３１に伝熱され、放熱板３１からケース本体６の内面６ｂに形成されたアルマイト１５に伝熱されてケース本体６に伝熱される。
【００６８】
伝熱性樹脂２６は、気体よりも熱を伝熱させやすい。したがって、点灯回路１７からの熱は、伝熱性樹脂２６を介して迅速にケース２に伝熱され、ケース２の外面６ａ，７ａから放熱される熱量が多くなる。また、発熱部品１７ｃを装着している放熱板３１がケース本体６の内面６ｂに接触しているので、発熱部品１７ｃの熱は、放熱板３１を介して迅速にケース本体６に伝熱される。これにより、点灯回路１７の電子部品および回路部品の温度上昇がより抑制される。この結果、点灯装置本体３の耐久寿命をより向上させることができ、点灯装置本体３およびケース２をより小形化できる。
【００６９】
図６は本発明の第３の実施形態に係る放電ランプ用点灯装置２５Ａの軸横断面図である。この放電ランプ用点灯装置２５Ａは図３で示す第１の実施形態に係る放電ランプ用点灯装置１において、出力線２８をケーブル保持手段の一例である樹脂ベルト製のインシュロック（商標）等の樹脂製ファスナからなるケーブルベルト３４により放熱板３１に固定した点に特徴があり、これ以外の構成は上記放電ランプ用点灯装置２５と同様であるので、重複した説明は省略する。
【００７０】
すなわち、放熱板３１は、その図６中上端部にて、その板厚方向に貫通するベルト挿通孔３１ｂ，３１ｂ，…を放熱板３１の長手方向に所要の間隔を置いてそれぞれ穿設し、これらベルト挿通孔３１ｂ，３１ｂ，…内に、出力線２８を結束したケーブルベルト３４の一部を挿通して出力線２８を放熱板３１に固定している。
【００７１】
したがって、この放電ランプ用点灯装置２５Ａによれば、出力線２８をケーブルベルト３４により放熱板３１に固定するので、例えば放電ランプ用点灯装置２５Ａの取扱い中、揺動して出力線２８が放熱板３１よりも内側の大電流回路部２９側へ変位して高熱部品に接近または接触して熱劣化するのを防止または低減することができる。
【００７２】
図７は本発明の第４の実施形態に係る放電ランプ用点灯装置２５Ｂの要部軸横断面図である。この放電ランプ用点灯装置２５Ｂは、図３で示す第１の実施形態に係る放電ランプ用点灯装置１において、放熱板３１の図７中上端部３１ｃを、これに近接する凸部２ａの上面に沿ってほぼ直角に折曲し、この折曲端部３１ｃを固定ねじ３５により凸部２ａの上面に固定することにより、図３，図５，図６で示す放熱板取付用固定ねじ３３，３３，…を省略した点に特徴がある。これ以外の構成は上記放電ランプ用点灯装置１とほぼ同様であるので、その重複した説明は省略する。
【００７３】
したがって、この放電ランプ用点灯装置２５Ｂによれば、各放熱板取付用固定ねじ３３が挿通するケース２の各挿通孔２ｃを削除することができる。
【００７４】
このために、図５に示すようにケース２内に伝熱性樹脂２６を充填したときに、ケース２の挿通孔２ｃ，２ｃ，…と放熱板取付用固定ねじ３３，３３，…との微小間隙から雨水等がケース２内へ、その外面６ａから侵入するのを防止または低減できる。
【００７５】
図８は本発明の第５の実施形態に係る放電ランプ用点灯装置２５Ｃの要部軸横断面図である。この放電ランプ用点灯装置２５Ｃは、図３で示す第１の実施形態に係る放電ランプ用点灯装置１において、放熱板３１を、上記図３で示す１個の凸部２ａよりも大きい大形凸部２ｄに直接取り付けた点に特徴がある。
【００７６】
すなわち、この放電ランプ用点灯装置２５Ｃは、放熱板３１にＦＥＴ１４を皿ねじ３５により固定している。放熱板３１の裏面（図８では右側面）には、皿ねじ３５の皿頭３５ａが埋設する皿状のさら穴３１ｄを形成し、ＦＥＴ１４の取付部に、皿ねじ３５の軸部を挿通させる通し孔１４ａを穿設している。
【００７７】
そして、皿ねじ３５は、ＦＥＴ１４の通し孔１４ａを挿通して先方（図８では左方）へ突出した皿ねじ３５の軸部の突出端部３５ｂには、締付ナット３６を締め付けてＦＥＴ１４を放熱板３１に固定している。
【００７８】
また、放熱板３１は、その図８中上下両端部をほぼコ字状に折曲して一対のコ字状端部３１ｄ，３１ｅを一体に形成している。
【００７９】
一方、ケース２は、その内面６ｂの図８中、右側面にて、ケース内方に突出し、ケース２の長手方向ほぼ全長に亘って延在する大形凸部２ｄを一体に突設している。
【００８０】
この大形凸部２ｄは、その図８中上下両端部に、上記放熱板３１の上下一対のコ字状端部３１ｄ，３１ｅが摺動可能に嵌合する嵌合溝２ｄ１，２ｄ２を形成している。
【００８１】
したがって、この放電ランプ用点灯装置２５Ｃによれば、ケース２の一方の開口端８側から、放熱板３１を、その一対のコ字状端部３１ｄ，３１ｅをケース２の大形凸部２ｄの一対の嵌合溝２ｄ１，２ｄ２内に嵌合させ、放熱板３１をケース２の軸方向へ所定位置まで摺動させることにより放熱板３１をケース２内の所定位置に取り付けることができる。
【００８２】
また、皿ねじ３５の皿頭３５ａを放熱板３１のさら穴３１ｄにより埋設しているので、放熱板３１の裏面を面一に形成できる。このために、放熱板３１の裏面を大形凸部２ｄの突出先端面に密着させることができる。しかも、この大形凸部２ｄは上記図３で示す１個の凸部２ａよりも大形であるので、上記密着面の面積を増大させることができる。このために、放熱板３１からケース本体６へ伝熱される伝熱量を増大させることができる。このために、ケース２の外面６ａから外気へ放出される放熱量を増大させることができるので、放熱性を向上できる。
【００８３】
また、図３等で示す放熱板取付用固定ねじ３３，３３，…を削除することができるので、図７で示す放電ランプ用点灯装置２５Ｂと同様に、放熱板取付用固定ねじ３３と挿通孔２ｃとの微小間隙を通してケース２の外面６ａから雨水がケース２内へ浸入し、または伝熱性樹脂２６がケース２外へリークするのを防止または低減することができる。
【００８４】
図９は本発明の第６の実施形態に係る放電ランプ用点灯装置２５Ｄの要部軸横断面図である。この放電ランプ用点灯装置２５Ｄは、上記図８で示す放電ランプ用点灯装置２５Ｃにおいて、図９で示す大形凸部２ｄに、所要幅の帯状板ばね等により断面形状がほぼコ字状の弾性を有する複数の取付板３７により、放熱板３１を取り付ける点に特徴がある。
【００８５】
すなわち、放電ランプ用点灯装置２５Ｄは、上記図８で示す放電ランプ用点灯装置２５Ｃと同様に、放熱板３１に、取付板３７を介して皿ねじ３５によりＦＥＴ１４等を取り付け、放熱板３１の裏面には皿ねじ３５の皿頭３５ａを埋没させるさら穴３１ｄを穿設して放熱板３１の裏面側を面一に形成している。また、放熱板３１は図８で示す放熱板３１と同様に、皿ねじ３５の軸先端部３５ｂに、締付ナット３６を締め付けてＦＥＴ１４を放熱板３１に固定している。
【００８６】
また、大形凸部２ｄは、図８で示す大形凸部２ｄと同様に、その上下両端部に、嵌合溝２ｄ１，２ｄ２にそれぞれワンタッチで弾性的に嵌合するコ字状折曲端部３７ａ，３７ｂをそれぞれ一体に形成している。
【００８７】
したがって、放熱板３１に、その長手方向（図９では図面の表裏方向）に所要の間隔を置いて複数の取付板３７，３７，…を皿ねじ３５により固定した後、これら取付板３７，３７，…の各コ字状折曲端部３７ａ，３７ｂを、大形凸部２ｄの嵌合溝２ｄ１，２ｄ２内に弾性的に押し込み、嵌合させることにより、放熱板３１を大形凸部２ｄにワンタッチで固定することができる。
【００８８】
また、この放電ランプ用点灯装置２５Ｄによっても上記放電ランプ用点灯装置２５Ｃと同様に、皿ねじ３５の皿頭３５ａを放熱板３１のさら穴３１ｄにより埋設しているので、放熱板３１の裏面を面一に形成できる。このために、放熱板３１の裏面を大形凸部２ｄの突出先端面に密着させることができる。しかも、この大形凸部２ｄは上記図３で示す凸部２ａよりも大形であるので、上記密着面の面積を増大させることができる。このために、放熱板３１からケース本体６へ伝熱される伝熱量を増大させることができる。このために、ケース２の外面６ａから外気へ放出される放熱量を増大させることができるので、放熱性を向上できる。
【００８９】
また、図３等で示す放熱板取付用固定ねじ３３，３３，…を削除することができるので、図７で示す放電ランプ用点灯装置２５Ｂと同様に、放熱板取付用固定ねじ３３と挿通孔２ｃとの微小間隙を通してケース２の外面６ａから雨水がケース２内へ浸入し、伝熱性樹脂２６がその充填時にケース２外へリークするのを防止または低減することができる。
【００９０】
次に、本発明の第３の実施形態について説明する。
【００９１】
図１０および図１１は、本発明の第７の実施形態を示し、図１０は段付ポールに取り付けられた状態の照明器具の外観図、図１１は照明器具の一部切り欠き断面図である。なお、図２と同一部分については、同一符号を付して重複した説明は省略する。
【００９２】
図１０に示す照明器具３８は、街路灯である。街路灯３８は、器具本体としての街路灯本体３９がジョインターアーム４０を介して中空の段付ポール４１に取り付けられている。そして、段付ポール４１は、地中４２に一部埋設されたコンクリート基礎４３に立設されている。
【００９３】
段付ポール４１は、開閉蓋４４の部位の内部に図２に示す放電ランプ用点灯装置１または放電ランプ用点灯装置２５Ａ〜２５Ｄのいずれかが収納されている。そして、電源用穴４５を介して外部より図示しない電源線およびアース線が導入され、段付ポール４１内において、放電ランプ用点灯装置１から導出されている入力線２７およびアース線にそれぞれ接続されている。そして、放電ランプ用点灯装置１の出力線２８が街路灯本体３９に配線されている。
【００９４】
街路灯本体３９は、図１１に示すように、下面に開口を有する略箱状に形成されており、ソケット台４６、ランプソケット４７、放電ランプとしての高圧放電ランプ４８および反射板４９などを配設している。ランプソケット４７は、放電ランプ用点灯装置１の出力線２８と接続されている。高圧放電ランプ４８は、例えばメタルハライドランプが用いられている。
【００９５】
そして、放電ランプ用点灯装置１に入力線２７（電源線）を介して外部電源が投入されると、メタルハライドランプ４８が点灯する。メタルハライドランプ４８より放射された直接光および反射板４９で放射された反射光は、街路灯本体３９の開口から路面に出射される。こうして、街路灯３８は、路面を照明する。
【００９６】
放電ランプ用点灯装置１によりメタルハライドランプ４８が点灯されると、放電ランプ用点灯装置１の点灯装置本体３に発生した熱がケース２から段付ポール４１の内部空間に放熱される。そして、当該熱は、段付ポール４１に伝熱して、段付ポール４１から大気中に放熱される。
【００９７】
そして、放電ランプ用点灯装置１は、防水形に形成されているので、開閉蓋４５と段付ポール４１との隙間や電源用穴４５から雨水や湿気が段付ポール４１内に侵入しても、ケース２内に水分や湿気が浸入することが防止されている。
【００９８】
なお、本発明は上記実施形態に限定されるものではなく、例えば上記第３〜６の実施形態に係る放電ランプ用点灯装置２５Ａ〜２５Ｄにおいても、第２実施形態と同様に、ケース２内に、伝熱性樹脂２６を充填してもよい。
【図面の簡単な説明】
【００９９】
【図１】本発明の第１の実施形態を示す放電ランプ用点灯装置の概略分解斜視図。
【図２】同じく、放電ランプ用点灯装置の概略斜視図。
【図３】図２のＩＩＩ−ＩＩＩ線断面図。
【図４】図３等で示す点灯装置本体の概略平面図。
【図５】本発明の第２の実施形態を示す放電ランプ用点灯装置の概略軸横断面図。
【図６】本発明の第３の実施形態を示す放電ランプ用点灯装置の概略軸横断面図。
【図７】本発明の第４の実施形態を示す放電ランプ用点灯装置の概略軸横断面図。
【図８】本発明の第５の実施形態を示す放電ランプ用点灯装置の概略軸横断面図。
【図９】本発明の第６の実施形態を示す放電ランプ用点灯装置の概略軸横断面図。
【図１０】本発明の第７の実施形態を示す段付ポールに取り付けられた状態の照明器具の外観図。
【図１１】同じく、照明器具の一部切り欠き断面図。
【符号の説明】
【０１００】
１，２５，２５Ａ，２５Ｂ，２５Ｃ，２５Ｄ…放電ランプ用点灯装置、２…ケース、２ａ，２ｂ…凸部、２ｃ…挿通孔、２ｄ…大形凸部、３…点灯装置本体、５…端板、１５…伝熱手段としてのアルマイト、１７…点灯回路、２６…伝熱性樹脂、２７…入力線、２７ａ，２７ｂ…一対の入力端子、２８…出力線、２８ａ，２８ｂ…一対の出力端子、２９…大電流回路部、３０…制御回路部、３１…放熱板、３２…取付ねじ、３３…放熱板固定ねじ、３４…ケーブルベルト、３５…皿ねじ、３７…取付板、３８…照明器具としての街路灯、３９…器具本体としての街路灯本体、４１…段付ポール、４８…放電ランプとしてのメタルハライドランプ。
【図１】
2008084540.tif 000003
【図２】
2008084540.tif 000004
【図３】
2008084540.tif 000005
【図４】
2008084540.tif 000006
【図５】
2008084540.tif 000007
【図６】
2008084540.tif 000008
【図７】
2008084540.tif 000009
【図８】
2008084540.tif 000010
【図９】
2008084540.tif 000011
【図１０】
2008084540.tif 000012
【図１１】
2008084540.tif 000013